【手続補正書】
【提出日】平成18年11月27日(2006.11.27)
【手続補正１】
【補正対象書類名】特許請求の範囲
【補正対象項目名】全文
【補正方法】変更
【補正の内容】
【特許請求の範囲】
【請求項１】
ユーザーが機器に対して命令や情報を入力するための入力装置であって、
操作面を有し、当該操作面においてユーザーの身体部分と接触または接近している領域を検出して当該領域を示す接触位置データを出力する検出部と、
前記接触位置データに基づいてユーザーによる特定の入力操作を検出する操作内容決定部と、
予め保持しておいた身体形状パターンと前記検出部から出力される前記接触位置データに基づいて、前記検出部の操作面上に載せられているユーザーの身体部分の形状をモデリングし、当該モデリングの結果得られた身体形状モデルの画像を接触領域画像として作成する身体位置表示部と、
ユーザーによる操作の補助となる表示画像を生成する表示情報作成部と、
前記身体位置表示部が作成した接触領域画像と前記表示情報作成部が作成した表示画像を合成する画像合成部と、
前記画像合成部が合成した画像を表示する表示部とを備えた入力装置。
【請求項２】
前記検出部は、接触型の座標入力デバイスであることを特徴とする、請求項１に記載の入力装置。
【請求項３】
前記検出部は、前記操作面に沿って配置された複数の静電容量センサを含むことを特徴とする、請求項１に記載の入力装置。
【請求項４】
前記検出部は、前記操作面に沿って配置された複数の圧力センサを含むことを特徴とする、請求項１に記載の入力装置。
【請求項５】
前記接触位置データには、前記検出部の各圧力センサによって検知される圧力値が含まれ、
前記身体位置表示部は、前記接触位置データに基づいて、前記検出部の各圧力センサによって検知される圧力値に応じた接触領域画像を作成するものであることを特徴とする、請求項４に記載の入力装置。
【請求項６】
前記身体位置表示部が作成する接触領域画像の各部分の色が、前記検出部の各圧力センサによって検知される圧力値に応じて変化することを特徴とする、請求項５に記載の入力装置。
【請求項７】
前記身体位置表示部は、前記検出部から出力される接触位置データに基づいて、ユーザーの身体部分の特徴を取得するキャリブレーション処理を行い、このキャリブレーション処理の結果に基づいてユーザーの身体部分の形状をモデリングするものであることを特徴とする、請求項１に記載の入力装置。
【請求項８】
前記検出部の近傍に非接触型の位置検出センサをさらに備え、
前記位置検出センサは、前記検出部に対する手の向きを検知し、
前記身体位置表示部は、当該手の向きを用いて前記接触領域画像を作成するものであることを特徴とする請求項１に記載の入力装置。
【請求項９】
前記身体位置表示部は、当該操作方向と前記検出部から出力されるユーザーの指先の接触位置および／または接触している指の本数とから手のひらの位置を推定し、前記接触領域画像を作成するものであることを特徴とする請求項１または８に記載の入力装置。
【請求項１０】
前記検出部から出力される接触位置データに基づいて前記検出部の操作面にユーザーの身体部分が接触または接近しているかどうかを判定する制御部を更に備え、
前記表示情報作成部は、前記検出部から出力される接触位置データに基づいて作成すべき表示画像を変更するものであり、前記制御部によって前記検出部の操作面にユーザーの身体部分が接触または接近していると判定された場合に、表示画像を作成するものであることを特徴とする、請求項１に記載の入力装置。
【請求項１１】
前記検出部から出力される接触位置データに基づいて前記検出部の操作面にユーザーの身体部分が接触または接近しているかどうかを判定する制御部を更に備え、
前記表示情報作成部は、前記検出部から出力される接触位置データに基づいて作成すべき表示画像を変更するものであり、前記制御部によって前記検出部の操作面にユーザーの身体部分が接触または接近していると判定された場合に、作成すべき表示画像中のＧＵＩ部品を強調するものであることを特徴とする、請求項１に記載の入力装置。
【請求項１２】
前記検出部から出力される接触位置データに基づいて、前記検出部の操作面に接触または接近しているユーザーの身体部分の特徴を検出する特徴検出手段を更に備え、
前記表示情報生成部は、前記特徴検出手段によって検出されたユーザーの身体部分の特徴に応じて、作成すべき表示画像を変更するものであることを特徴とする、請求項１に記載の入力装置。
【請求項１３】
前記特徴検出手段は、前記検出部から出力される接触位置データに基づいて、前記検出部の操作面に接触または接近しているユーザーの身体部分が右手か左手かを判定するものであり、
前記表示情報作成部は、前記特徴検出手段の判定結果に応じて、作成すべき表示画像を変更するものであることを特徴とする、請求項１２に記載の入力装置。
【請求項１４】
前記表示情報作成部は、前記検出部の操作面に接触または接近しているユーザーの身体部分が右手または左手の場合にのみ表示情報を作成するものであることを特徴とする、請求項１３に記載の入力装置。
【請求項１５】
前記表示情報作成部は、前記検出部の操作面に接触または接近しているユーザーの身体部分が右手または左手の場合に、作成すべき表示画像中のＧＵＩ部品を強調表示、もしくは当該ＧＵＩ部品の位置を変更、もしくは当該ＧＵＩ部品の有効性を変更するものであることを特徴とする、請求項１３に記載の入力装置。
【請求項１６】
前記特徴検出手段は、前記検出部から出力される接触位置データに基づいて、前記検出部の操作面に接触または接近しているユーザーの身体部分が大人のものか子供のものかを判定するものであり、
前記身体位置表示部は、前記特徴検出手段の判定結果に応じて、作成すべき表示画像を変更するものであることを特徴とする、請求項１２に記載の入力装置。
【請求項１７】
前記表示情報作成部は、前記検出部の操作面に接触または接近しているユーザーの身体部分が大人または子供のものの場合にのみ表示情報を作成するものであることを特徴とする、請求項１６に記載の入力装置。
【請求項１８】
前記表示情報作成部は、前記検出部の操作面に接触または接近しているユーザーの身体部分が大人または子供のものの場合に、作成すべき表示画像中のＧＵＩ部品を強調表示、もしくは当該ＧＵＩ部品の位置を変更、もしくは当該ＧＵＩ部品の有効性を変更するものであることを特徴とする、請求項１６に記載の入力装置。
【請求項１９】
当該入力装置は、ユーザーによる入力操作が可能なモードと不可能なモードの２つの操作モードを有し、
前記画像合成部は、ユーザーによる入力操作が可能なモードのときには、前記表示情報作成部が作成した表示画像を、前記接触領域画像と合成することなしに、そのまま前記表示部に表示させるものであることを特徴とする、請求項１に記載の入力装置。
【請求項２０】
当該入力装置は、ユーザーによる入力操作が可能なモードと不可能なモードの２つの操作モードを有し、
前記画像合成部は、前記操作モードに応じて、前記表示情報作成部が作成した表示画像と前記接触領域画像との合成方法を変更するものであることを特徴とする、請求項１に記載の入力装置。
【請求項２１】
前記画像合成部は、ユーザーによる入力操作が可能なモードのときには前記接触領域画像が半透明で表示、もしくは輪郭を強調して表示、もしくは半透明でかつ輪郭を強調して表示され、ユーザーによる入力操作が不可能なモードのときには当該接触領域画像が不透明で表示されるように、前記表示画像と前記接触領域画像を合成するものであることを特徴とする、請求項２０に記載の入力装置。
【請求項２２】
操作面を有し、当該操作面においてユーザーの身体部分と接触または接近している領域を検出して当該領域を示す接触位置データを出力する検出部と、
前記接触位置データに基づいてユーザーによる特定の入力操作を検出する操作内容決定部と、
予め保持しておいた身体形状パターンと前記検出部から出力される前記接触位置データに基づいて、前記検出部の操作面上に載せられているユーザーの身体部分の形状をモデリングし、当該モデリングの結果得られた身体形状モデルの画像を接触領域画像として作成する身体位置表示部と、
ユーザーによる操作の補助となる表示画像を生成する表示情報作成部と、
前記身体位置表示部が作成した接触領域画像と前記表示情報作成部が作成した表示画像を合成する画像合成部と、
前記画像合成部が合成した画像を表示する表示部とを備えた車両。
【手続補正２】
【補正対象書類名】明細書
【補正対象項目名】００１６
【補正方法】変更
【補正の内容】
【００１６】
第１の局面は、操作面を有し、当該操作面においてユーザーの身体部分（６）と接触または接近している領域を検出して当該領域を示す接触位置データ（１５０Ａ、１５０Ｂ）を出力する検出部（４、１００）と、前記接触位置データに基づいてユーザーによる特定の入力操作（プッシュ操作など）を検出する操作内容決定部（５００）と、予め保持しておいた身体形状パターンと前記検出部から出力される前記接触位置データに基づいて、前記検出部の操作面上に載せられているユーザーの身体部分の形状をモデリングし、当該モデリングの結果得られた身体形状モデルの画像を接触領域画像（図１４Ｂの１０３、図１５Ｂの１０４、図１の７）を作成する身体位置表示部（６００）と、ユーザーによる操作の補助となる表示画像を生成する表示情報作成部（７００）と、前記身体位置表示部が作成した接触領域画像と前記表示情報作成部が作成した表示画像を合成する画像合成部（８００）と、前記画像合成部が合成した画像を表示する表示部（２、２００）とを備えた入力装置。これにより、検出部の操作面に載せているユーザーの手の形状が表示部に表示されるため、あたかも画面に直接触れているかのような直感的な入力操作が可能となる。
【手続補正３】
【補正対象書類名】明細書
【補正対象項目名】００１７
【補正方法】変更
【補正の内容】
【００１７】
第２の局面は、第１の局面に準ずる発明であって、前記検出部は、接触型の座標入力デバイス（例えばタッチパネルやタッチパッド）であることを特徴とする。
【手続補正４】
【補正対象書類名】明細書
【補正対象項目名】００１８
【補正方法】変更
【補正の内容】
【００１８】
第３の局面は、第１の局面に準ずる発明であって、前記検出部は、前記操作面に沿って配置された複数の静電容量センサ（１０１）を含むことを特徴とする（図３）。これにより、静電容量センサの設定によっては、ユーザーの身体部分の接触だけではなく接近も検出でき、ユーザーは軽快に入力操作を行うことができる。
【手続補正５】
【補正対象書類名】明細書
【補正対象項目名】００１９
【補正方法】削除
【補正の内容】
【手続補正６】
【補正対象書類名】明細書
【補正対象項目名】００２０
【補正方法】削除
【補正の内容】
【手続補正７】
【補正対象書類名】明細書
【補正対象項目名】００２１
【補正方法】変更
【補正の内容】
【００２１】
第４の局面は、第１の局面に準ずる発明であって、前記検出部は、前記操作面に沿って配置された複数の圧力センサ（１０２）を含むことを特徴とする（図４）。これにより、圧力センサの検出値に基づいて、触れる、軽く押す、強く押すなどの入力操作を簡単に区別して検知することが可能となり、ユーザーは容易に多彩な入力操作を行うことができる。
【手続補正８】
【補正対象書類名】明細書
【補正対象項目名】００２２
【補正方法】変更
【補正の内容】
【００２２】
第５の局面は、第４の局面に準ずる発明であって、前記接触位置データには、前記検出部の各圧力センサによって検知される圧力値が含まれ（１５０Ｂ）、前記身体位置表示部は、前記接触位置データに基づいて、前記検出部の各圧力センサによって検知される圧力値に応じた接触領域画像を作成するものであることを特徴とする。これにより、操作面のどの点にどの程度の圧力が加わっているかをユーザーに提示することができる。
【手続補正９】
【補正対象書類名】明細書
【補正対象項目名】００２３
【補正方法】変更
【補正の内容】
【００２３】
第６の局面は、第５の局面に準ずる発明であって、前記身体位置表示部が作成する接触領域画像の各部分の色が、前記検出部の各圧力センサによって検知される圧力値に応じて変化することを特徴とする（図１２Ｂ、図１３Ｂ）。これにより、操作面のどの点にどの程度の圧力が加わっているかを色によりユーザーに提示することができる。
【手続補正１０】
【補正対象書類名】明細書
【補正対象項目名】００２４
【補正方法】削除
【補正の内容】
【手続補正１１】
【補正対象書類名】明細書
【補正対象項目名】００２５
【補正方法】削除
【補正の内容】
【手続補正１２】
【補正対象書類名】明細書
【補正対象項目名】００２６
【補正方法】変更
【補正の内容】
【００２６】
第７の局面は、第１の局面に準ずる発明であって、前記身体位置表示部は、前記検出部から出力される接触位置データに基づいて、ユーザーの身体部分の特徴（各指の長さなど）を取得するキャリブレーション処理を行い、このキャリブレーション処理の結果に基づいてユーザーの身体部分の形状をモデリングするものであることを特徴とする。これにより、より正確なモデリングが可能となる。
【手続補正１３】
【補正対象書類名】明細書
【補正対象項目名】００２７
【補正方法】変更
【補正の内容】
【００２７】
第８の局面は、第１の局面に準ずる発明であって、前記検出部の近傍に赤外線センサ（１１０）などの非接触型の位置検出センサをさらに備え、前記位置検出センサは、前記検出部に対する手の向きを検知し、前記身体位置表示部は、当該手の向きを用いて前記接触領域画像を作成するものであることを特徴とする（図１６）。これにより、より正確なモデリングが可能となる。
【手続補正１４】
【補正対象書類名】明細書
【補正対象項目名】００２８
【補正方法】変更
【補正の内容】
【００２８】
第９の局面は、第１または８の局面に準ずる発明であって、前記身体位置表示部は、当該操作方向と前記検出部から出力されるユーザーの指先の接触位置および／または接触している指の本数とから手のひらの位置を推定し、前記接触領域画像を作成するものであることを特徴とする。
【手続補正１５】
【補正対象書類名】明細書
【補正対象項目名】００２９
【補正方法】削除
【補正の内容】
【手続補正１６】
【補正対象書類名】明細書
【補正対象項目名】００３０
【補正方法】削除
【補正の内容】
【手続補正１７】
【補正対象書類名】明細書
【補正対象項目名】００３１
【補正方法】削除
【補正の内容】
【手続補正１８】
【補正対象書類名】明細書
【補正対象項目名】００３２
【補正方法】削除
【補正の内容】
【手続補正１９】
【補正対象書類名】明細書
【補正対象項目名】００３３
【補正方法】削除
【補正の内容】
【手続補正２０】
【補正対象書類名】明細書
【補正対象項目名】００３４
【補正方法】削除
【補正の内容】
【手続補正２１】
【補正対象書類名】明細書
【補正対象項目名】００３５
【補正方法】削除
【補正の内容】
【手続補正２２】
【補正対象書類名】明細書
【補正対象項目名】００３６
【補正方法】削除
【補正の内容】
【手続補正２３】
【補正対象書類名】明細書
【補正対象項目名】００３７
【補正方法】削除
【補正の内容】
【手続補正２４】
【補正対象書類名】明細書
【補正対象項目名】００３８
【補正方法】削除
【補正の内容】
【手続補正２５】
【補正対象書類名】明細書
【補正対象項目名】００３９
【補正方法】変更
【補正の内容】
【００３９】
第１０の局面は、第１の局面に準ずる発明であって、前記検出部から出力される接触位置データに基づいて前記検出部の操作面にユーザーの身体部分が接触または接近しているかどうかを判定する制御部（４００）を更に備え、前記表示情報作成部は、前記検出部から出力される接触位置データに基づいて作成すべき表示画像を変更するものであり、前記制御部によって前記検出部の操作面にユーザーの身体部分が接触または接近していると判定された場合に、表示画像を作成するものであることを特徴とする。これにより、状況に応じて適切な表示情報を作成することができる。また、身体部分が検出されない場合に画像表示処理を行わないようにして、消費電力を抑えることができる。
【手続補正２６】
【補正対象書類名】明細書
【補正対象項目名】００４０
【補正方法】変更
【補正の内容】
【００４０】
第１１の局面は、第１の局面に準ずる発明であって、前記検出部から出力される接触位置データに基づいて前記検出部の操作面にユーザーの身体部分が接触または接近しているかどうかを判定する制御部（４００）を更に備え、前記表示情報作成部は、前記検出部から出力される接触位置データに基づいて作成すべき表示画像を変更するものであり、前記制御部によって、前記検出部の操作面にユーザーの身体部分が接触または接近していると判定された場合に、作成すべき表示画像中のＧＵＩ部品を強調するものであることを特徴とする（図１９Ｂ、図２０Ｂ）。これにより、身体部分が検出されない場合にはＧＵＩ部品を目立たないように表示し、ＧＵＩ部品以外の表示情報を見やすくしたり、その情報量を増やしたりすることができる。
【手続補正２７】
【補正対象書類名】明細書
【補正対象項目名】００４１
【補正方法】変更
【補正の内容】
【００４１】
第１２の局面は、第１の局面に準ずる発明であって、前記検出部から出力される接触位置データに基づいて、前記検出部の操作面に接触または接近しているユーザーの身体部分の特徴を検出する特徴検出手段（４００、６００）を更に備え、前記表示情報生成部は、前記特徴検出手段によって検出されたユーザーの身体部分の特徴に応じて、作成すべき表示画像を変更するものであることを特徴とする。これにより、ユーザーの身体部分の特徴に応じて適切な表示情報を作成することができる。
【手続補正２８】
【補正対象書類名】明細書
【補正対象項目名】００４２
【補正方法】変更
【補正の内容】
【００４２】
第１３の局面は、第１２の局面に準ずる発明であって、前記特徴検出手段は、前記検出部から出力される接触位置データに基づいて、前記検出部の操作面に接触または接近しているユーザーの身体部分が右手か左手かを判定するものであり、前記表示情報作成部は、前記特徴検出手段の判定結果に応じて、作成すべき表示画像を変更するものであることを特徴とする（図２１Ａ、図２１Ｂ）。これにより、ユーザーの身体部分が右手か左手かによって適切な表示情報を作成することができる。
【手続補正２９】
【補正対象書類名】明細書
【補正対象項目名】００４３
【補正方法】変更
【補正の内容】
【００４３】
第１４の局面は、第１３の局面に準ずる発明であって、前記表示情報作成部は、前記検出部の操作面に接触または接近しているユーザーの身体部分が右手または左手の場合にのみ表示情報を作成するものであることを特徴とする。これにより、例えばユーザーが検出部の右側から入力操作をしている場合にのみ表示情報を表示したり、ユーザーが検出部の左側から入力操作をしている場合にのみ表示情報を表示したりといったことが可能である。
【手続補正３０】
【補正対象書類名】明細書
【補正対象項目名】００４４
【補正方法】変更
【補正の内容】
【００４４】
第１５の局面は、第１３の局面に準ずる発明であって、前記表示情報作成部は、前記検出部の操作面に接触または接近しているユーザーの身体部分が右手または左手の場合に、作成すべき表示画像中のＧＵＩ部品を強調表示、もしくは当該ＧＵＩ部品の位置を変更（図２１Ａ、図２１Ｂ）、もしくは当該ＧＵＩ部品の有効性を変更するものであることを特徴とする。これにより、ユーザーが検出部の右側（または左側）から入力操作をしている場合にのみ、ＧＵＩ部品を強調したり、ＧＵＩ部品を有効にしたり、ＧＵＩ部品が無効化されていることを表示したりすることができる。また、ユーザーの位置に合わせてＧＵＩ部品の位置を入力操作のしやすい位置に変更することができる。
【手続補正３１】
【補正対象書類名】明細書
【補正対象項目名】００４５
【補正方法】変更
【補正の内容】
【００４５】
第１６の局面は、第１２の局面に準ずる発明であって、前記特徴検出手段は、前記検出部から出力される接触位置データに基づいて、前記検出部の操作面に接触または接近しているユーザーの身体部分が大人のものか子供のものかを判定するものであり、前記身体位置表示部は、前記特徴検出手段の判定結果に応じて、作成すべき表示画像を変更するものであることを特徴とする（図２２Ａ、図２２Ｂ）。これにより、ユーザーの身体部分が大人のものか子供のものかによって適切な表示情報を作成することができる。
【手続補正３２】
【補正対象書類名】明細書
【補正対象項目名】００４６
【補正方法】変更
【補正の内容】
【００４６】
第１７の局面は、第１６の局面に準ずる発明であって、前記表示情報作成部は、前記検出部の操作面に接触または接近しているユーザーの身体部分が大人または子供のものの場合にのみ表示情報を作成するものであることを特徴とする。これにより、例えばユーザーが大人の場合にのみ表示情報を表示したり、ユーザーが子供の場合にのみ表示情報を表示したりといったことが可能である。
【手続補正３３】
【補正対象書類名】明細書
【補正対象項目名】００４７
【補正方法】変更
【補正の内容】
【００４７】
第１８の局面は、第１６の局面に準ずる発明であって、前記表示情報作成部は、前記検出部の操作面に接触または接近しているユーザーの身体部分が大人または子供のものの場合に、作成すべき表示画像中のＧＵＩ部品を強調表示、もしくは当該ＧＵＩ部品の位置を変更、もしくは当該ＧＵＩ部品の有効性を変更するものであることを特徴とする。これにより、ユーザーが大人（または子供）の場合にのみ、ＧＵＩ部品を強調したり、ＧＵＩ部品を有効にしたり（図２２Ａ）、ＧＵＩ部品が無効化されていることを表示したり（図２２Ｂ）することができる。また、ユーザーが大人か子供かによって、ＧＵＩ部品の位置を入力操作のしやすい位置に変更することができる。
【手続補正３４】
【補正対象書類名】明細書
【補正対象項目名】００４８
【補正方法】変更
【補正の内容】
【００４８】
第１９の局面は、第１の局面に準ずる発明であって、当該入力装置は、ユーザーによる入力操作が可能なモードと不可能なモードの２つの操作モードを有し、前記画像合成部は、ユーザーによる入力操作が可能なモードのときには、前記表示情報作成部が作成した表示画像を、前記接触領域画像と合成することなしに、そのまま前記表示部に表示させるものであることを特徴とする。これにより、ユーザーによる入力操作が不可能なモードであるときに、それをユーザーに示唆することができる。
【手続補正３５】
【補正対象書類名】明細書
【補正対象項目名】００４９
【補正方法】変更
【補正の内容】
【００４９】
第２０の局面は、第１の局面に準ずる発明であって、当該入力装置は、ユーザーによる入力操作が可能なモードと不可能なモードの２つの操作モードを有し、前記画像合成部は、前記操作モードに応じて、前記表示情報作成部が作成した表示画像と前記接触領域画像との合成方法を変更するものであることを特徴とする。これにより、例えばユーザーによる入力操作が不可能なモードであるときに、その旨を画面に表示するといったことが可能である。
【手続補正３６】
【補正対象書類名】明細書
【補正対象項目名】００５０
【補正方法】変更
【補正の内容】
【００５０】
第２１の局面は、第２０の局面に準ずる発明であって、前記画像合成部は、ユーザーによる入力操作が可能なモードのときには前記接触領域画像が半透明で表示、もしくは輪郭を強調して表示、もしくは半透明でかつ輪郭を強調して表示され、ユーザーによる入力操作が不可能なモードのときには当該接触領域画像が不透明で表示されるように、前記表示画像と前記接触領域画像を合成するものであることを特徴とする。これにより、ユーザーによる入力操作が不可能なモードであるときに、それをユーザーに示唆することができる。
【手続補正３７】
【補正対象書類名】明細書
【補正対象項目名】００５１
【補正方法】削除
【補正の内容】
【手続補正３８】
【補正対象書類名】明細書
【補正対象項目名】００５２
【補正方法】変更
【補正の内容】
【００５２】
第２２の局面は、操作面を有し、当該操作面においてユーザーの身体部分（６）と接触または接近している領域を検出して当該領域を示す接触位置データ（１５０Ａ、１５０Ｂ）を出力する検出部（４、１００）と、前記接触位置データに基づいてユーザーによる特定の入力操作（プッシュ操作など）を検出する操作内容決定部（５００）と、予め保持しておいた身体形状パターンと前記検出部から出力される前記接触位置データに基づいて、前記検出部の操作面上に載せられているユーザーの身体部分の形状をモデリングし、当該モデリングの結果得られた身体形状モデルの画像を接触領域画像（図１４Ｂの１０３、図１５Ｂの１０４、図１の７）を作成する身体位置表示部（６００）と、ユーザーによる操作の補助となる表示画像を生成する表示情報作成部（７００）と、前記身体位置表示部が作成した接触領域画像と前記表示情報作成部が作成した表示画像を合成する画像合成部（８００）と、前記画像合成部が合成した画像を表示する表示部（２、２００）とを備えた車両である。これにより、運転者や搭乗者は画面に直接触れることなしに入力操作を行うことができるため、入力操作が楽である。また、特に運転中に運転者が入力操作を行う場合には、手元を見なくても確実に入力操作を行えるため、視点の移動量が抑えられ安全である。
【手続補正３９】
【補正対象書類名】明細書
【補正対象項目名】００５３
【補正方法】削除
【補正の内容】
【手続補正４０】
【補正対象書類名】明細書
【補正対象項目名】００５４
【補正方法】削除
【補正の内容】
【手続補正４１】
【補正対象書類名】明細書
【補正対象項目名】００５５
【補正方法】削除
【補正の内容】